(57)【特許請求の範囲】
【請求項１】
水平方向に所定の寸法を有する取り付け部を側面に備える筐体と、
前記筐体の上面に設けられた載皿と、
情報を表示する表示部と各種操作を行うための操作部とを一面に有する扁平形状の表示操作装置と、
前記表示操作装置を前記筐体の前記取り付け部に取り外し可能に取り付ける取り付け機構と、
前記取り付け機構によって取り付けられる前記表示操作装置の水平方向の寸法が前記取り付け部の寸法と略同一である場合に取り付け可能である第１のカバーまたは前記取り付け機構によって取り付けられる前記表示操作装置の水平方向の寸法が前記取り付け部の寸法より大きい場合に取り付け可能である第２のカバーを選択的に前記筐体に取り付けるカバー取り付け機構と、
を具備して、
前記カバー取り付け機構によって前記第１のカバーが取り付けられている場合にはこの第１のカバーによって前記表示操作装置の上方と側方とから前記取り付け機構を覆い、前記カバー取り付け機構によって前記第２のカバーが取り付けられている場合にはこの第２のカバーによって前記表示操作装置の上方から前記取り付け機構を覆うようにした秤装置。
【請求項２】
上面に載皿を有し水平方向に所定の寸法を有する取り付け部を側面に備える筐体に、情報を表示する表示部と各種操作を行うための操作部とを一面に有する扁平形状の表示操作装置を取り付け機構を介して取り付けて秤装置を組み立てる秤装置の組み立て方法において、
前記表示操作装置の水平方向の寸法が前記取り付け部の寸法と略同一である場合には前記表示操作装置の上方と側方とから前記取り付け機構を覆う第１のカバーを前記筐体に取り付け、前記表示操作装置の水平方向の寸法が前記取り付け部の寸法より大きい場合には前記表示操作装置の上方から前記取り付け機構を覆う第２のカバーを取り付けるようにした秤装置の組み立て方法。
【発明の詳細な説明】
【０００１】
【発明の属する技術分野】
本発明は、装置本体とは別体で設けられた表示操作装置を備える秤装置および秤装置の組み立て方法に関する。
【０００２】
【従来の技術】
従来、筐体形状の筐体内に設けられた重量測定機構によって、筐体の上面に設けられた載皿に載置された商品の重量を測定するようにした秤装置がある。
【０００３】
例えば、図１０に示すように、筐体１００とは別体で設けられて表示面１０１にタッチパネル１０２が積層された扁平形状の表示操作装置１０３を、取り付け機構(図示せず)等を介して筐体１００に取り付けるようにした秤装置１０４が考えられている。
【０００４】
図１０に示す秤装置１０４では、表示操作装置１０３の上端を載皿１０５よりも低くするとともに、表示操作装置１０３の上方から取り付け機構を覆う液滴れ防止カバー１０６(図１１参照)が、筐体１００に一体的に設けられている。これにより、載皿１０５に載置された肉や惣菜等から滴れてきた汁等によって表示操作装置１０３の取り付け位置が汚れたり腐食したりすることを防止することが可能になる。
【０００５】
また、筐体１００には、表示操作装置１０３の側方から取り付け機構を覆う防塵カバー１０７(図１１参照)が、一体的に設けられている。これによって、取り付け機構の側方からの埃等の侵入を防止することが可能になる。
【０００６】
液滴れ防止カバー１０６、防塵カバー１０７は、図１１に示すように、筐体１００の上側半分を構成する上側筐体１００ａに一体的に設けられている。
【０００７】
【発明が解決しようとする課題】
ところで、近年では、表示する情報量が多くなる、表示された情報が見易い等の種々の利点から、表示面積の大型化が進んでいる。
【０００８】
ところが、上述した秤装置１０４では、図１１に示すように、防塵カバー１０７が筐体１００に対して一体的に設けられているために、表示操作装置１０３の水平方向のサイズの上限が規定されてしまう。このため、筐体１００と表示操作装置１０３とが別体で設けられているにも拘わらず、表示操作装置１０３を大型化することが困難である。
【０００９】
この対策として、上側筐体１００ａの形状を、大型化した表示操作装置(図示せず)のサイズに合わせた上側筐体(図示せず)に交換することが考えられる。
【００１０】
しかし、上側筐体１００ａを、大型化した表示操作装置のサイズに合わせた上側筐体に交換する作業は、既に市場に出回っている秤装置１０４に対しては非常に大掛かりな作業となってしまう。
【００１１】
また、仮に、上側筐体１００ａの形状を、表示操作装置１０３の水平方向のサイズの上限を規定する防塵カバー１０７を持たない形状とした場合、大型化した表示操作装置１０３を取り付けることはできるが、取り付け部と同一の寸法の表示操作装置を取り付けて使用する場合には、表示操作装置の側方から埃等の異物が侵入して取り付け機構に堆積することが考えられる。取り付け機構に埃等の異物が堆積すると、表示操作装置の取り外し／取り付け作業毎に取り付け機構を清掃しなくてはならず、作業が煩雑になる。
【００１２】
本発明は、交換後の表示操作装置のサイズによって取り付け機構の性能を低下させずに、始めに取り付けられている表示操作装置の大きさに依存することなく任意のサイズの表示操作装置に交換することができる秤装置および秤装置の組み立て方法を得ることを目的とする。
【００１３】
【課題を解決するための手段】
請求項１記載の発明の秤装置は、水平方向に所定の寸法を有する取り付け部を側面に備える筐体と、前記筐体の上面に設けられた載皿と、情報を表示する表示部と各種操作を行うための操作部とを一面に有する扁平形状の表示操作装置と、前記表示操作装置を前記筐体の前記取り付け部に取り外し可能に取り付ける取り付け機構と、前記取り付け機構によって取り付けられる前記表示操作装置の水平方向の寸法が前記取り付け部の寸法と略同一である場合に取り付け可能である第１のカバーまたは前記取り付け機構によって取り付けられる前記表示操作装置の水平方向の寸法が前記取り付け部の寸法より大きい場合に取り付け可能である第２のカバーを選択的に前記筐体に取り付けるカバー取り付け機構と、を具備して、前記カバー取り付け機構によって前記第１のカバーが取り付けられている場合にはこの第１のカバーによって前記表示操作装置の上方と側方とから前記取り付け機構を覆い、前記カバー取り付け機構によって前記第２のカバーが取り付けられている場合にはこの第２のカバーによって前記表示操作装置の上方から前記取り付け機構を覆うようにした。
【００１４】
したがって、取り付け機構によって取り付けられる表示操作装置の水平方向の寸法が取り付け部の寸法と略同一である場合には、カバー取り付け機構によって第１のカバーが取り付けられて、第１のカバーによって表示操作装置の上方と側方とから取り付け機構が覆われる。取り付け機構によって取り付けられる表示操作装置の水平方向の寸法が取り付け部の寸法より大きい場合には、カバー取り付け機構によって第２のカバーが取り付けられて、第２のカバーによって表示操作装置の上方から取り付け機構が覆われるとともに、取り付け部から突出した表示操作装置によって外方から取り付け機構に向かう埃等の進行経路が一部遮断される。
【００１５】
請求項２記載の発明の秤装置の組み立て方法は、上面に載皿を有し水平方向に所定の寸法を有する取り付け部を側面に備える筐体に、情報を表示する表示部と各種操作を行うための操作部とを一面に有する扁平形状の表示操作装置を取り付け機構を介して取り付けて秤装置を組み立てる秤装置の組み立て方法において、前記表示操作装置の水平方向の寸法が前記取り付け部の寸法と略同一である場合には前記表示操作装置の上方と側方とから前記取り付け機構を覆う第１のカバーを前記筐体に取り付け、前記表示操作装置の水平方向の寸法が前記取り付け部の寸法より大きい場合には前記表示操作装置の上方から前記取り付け機構を覆う第２のカバーを取り付けるようにした。
【００１６】
したがって、取り付け機構によって筐体に取り付けられる表示操作装置の水平方向の寸法が取り付け部の寸法と略同一である場合には、第１のカバーが取り付けられて、第１のカバーによって表示操作装置の上方と側方とから取り付け機構が覆われる。取り付け機構によって筐体に取り付けられる表示操作装置の水平方向の寸法が取り付け部の寸法より大きい場合には、第２のカバーが取り付けられて、第２のカバーによって表示操作装置の上方から取り付け機構が覆われるとともに、取り付け部から突出した表示操作装置によって外方から取り付け機構に向かう埃等の進行経路が一部遮断される。
【００１７】
【発明の実施の形態】
本発明の一実施の形態について図１ないし図９を参照して説明する。本実施の形態は、例えば店員と顧客とがショーケースを介して対面し、ショーケース内に陳列されている肉等を秤売りする精肉店等において、ショーケースの上に載置して使用する対面用の秤装置への適用例を示す。
【００１８】
図１は本発明の一実施の形態の秤装置を示す斜視図である。秤装置１は、筐体としての本体ハウジング２を備えている。本体ハウジング２内には、物品の重量を電気的信号として出力する重量測定機構としての図示しないロードセルユニットが設けられている。
【００１９】
公知の技術であるため、詳細な説明を省略するが、ロードセルユニットは、加えられた荷重に応じて変形する起歪体と、起歪体に取り付けられたストレンゲージを備えている。ロードセルユニットは、起歪体の変形に応じたストレンゲージでの抵抗値の変化に応じて出力が変化する。
【００２０】
本体ハウジング２の上側には、重量が測定される商品(被検体)が載置される載皿３が取り付けられている。載皿３は、本体ハウジング２内に設けられたロードセルユニットに連結されており、これによって載皿３に載置された商品の重量がロードセルユニットの起歪体に伝達される。
【００２１】
使用に際してオペレーターに対向する側を前側とすると、本体ハウジング２の前面右側には、本体ハウジング２に内蔵されたプリンタ(図示せず)によって所定事項が印字されたラベル(図示せず)等が発行されるラベル発行口４が設けられている。本実施の形態の秤装置１は、プリンタによって印字されるラベル用紙(図示せず)を保持するとともに必要に応じて送り出す機構(図示せず)を内蔵している。
【００２２】
本体ハウジング２の前面には、前後方向に扁平形状の表示操作装置５が設けられており、本体ハウジング２の背面には顧客に対して情報を表示するフルセグメント方式の図示しない客側表示装置が設けられている。
【００２３】
表示操作装置５のケーシング６の表面側には、所定事項を表示する表示部としてのＬＣＤ(Liquid Crystal Display)７と、ＬＣＤ７の表示面側に積層された抵抗膜式の操作部としてのタッチパネル８とが設けられている。この表示操作装置５では、１つのキーに１つの商品情報を読み出させるワンタッチキーの機能を持たせるとともに、商品情報を読み出した商品の商品名や単価等を表示する。
【００２４】
図２は、表示操作装置５を示す背面斜視図である。表示操作装置５のケーシング６の裏面には、一対の丁番９が取り付けられている。一対の丁番９は、図示しない丁番ねじを回動中心としてそれぞれ回動自在に連結された２つの平面９ａ，９ｂによって構成されている。丁番９は、平面９ａを基準に、丁番ねじを回動中心として平面９ｂを回動させることにより、平面９ａ，９ｂによって形成される角度を任意の角度に調整することができる。平面９ａには、表示操作装置５を本体ハウジング２に取り付ける際に取付ねじ１０が挿入される取付孔１１が形成されている。本体ハウジング２の前面で一対の丁番９と対向する位置に形成された図示しない取付ねじ孔に、平面９ａに形成された取付孔１１を介して挿入された取付ねじ１０を螺合することで、表示操作装置５を本体ハウジング２に取り付けることができる。ここに、丁番９、取付ねじ１０、取付孔１１および取付ねじ孔によって取り付け機構が実現されている。
【００２５】
また、表示操作装置５のケーシング６の裏面には、一対の丁番９の間に、本体ハウジング２内から延出するケーブル１２が連結されている。ケーブル１２は、本体ハウジング２内から供給される電源や制御部(ともに図示せず)から伝達される表示データ等をＬＣＤ７やタッチパネル８に供給するとともに、タッチパネル８からの入力信号を制御部に伝達する機能を果たす。
【００２６】
加えて、表示操作装置５のケーシング６は、肉や惣菜等を載皿に載せた場合に、載皿から滴れてきた汁が直接タッチパネル８にかからないように、上側部分が前方に突出する庇部６ａとされている。
【００２７】
本体ハウジング２に取り付けられている表示操作装置５は、図３に示す位置までチルトさせて一対の丁番９の上方を開放させる作業空間を確保することにより、上側からドライバ等を挿入して取り外すことができる。
【００２８】
ところで、本実施の形態の本体ハウジング２は、上側本体ハウジング２０と下側本体ハウジング２１とを、上下方向に嵌合することにより構成されている。上述した取付ねじ孔は下側本体ハウジング２１に形成されており、上側本体ハウジング２０の取付ねじ孔に重なる位置には、上下方向に貫通する貫通孔２２が形成されている。また、上側本体ハウジング２０には、下側本体ハウジング２１と嵌合した場合に表示操作装置５の丁番９を挿入するためのスリットを形成するように、貫通孔２２の下側に切り欠き部２９が形成されている。
【００２９】
なお、本実施の形態では、上側本体ハウジング２０と下側本体ハウジング２１とを上下方向に嵌合することにより本体ハウジング２を形成したが、これに限るものではなく、例えば、上側本体ハウジング２０と下側本体ハウジング２１とをフック等によって固定する等によって本体ハウジングを形成してもよい。
【００３０】
図４は上側本体ハウジング２０を示す斜視図である。図５はその縦断側面図である。上側本体ハウジング２０は、トップカバー２３と、トップカバー２３に対して着脱自在に取り付けられる第１のカバーとしてのチルトカバー２４とから構成されている。チルトカバー２４は、チルトカバー２４に形成されたねじ孔２５ａ(図６参照)を介して上側本体ハウジング２０に形成された図示しないカバー固定ねじ孔に挿入されたねじ２５の螺合によってトップカバー２３に取り付けられている。ここに、ねじ２５、ねじ孔２５ａ、カバー固定ねじ孔によってカバー取り付け機構が実現されている。ねじ２５は、載皿３が取り付けられている場合には載皿３に覆われ、載皿３を取り外した状態でのみ作業が許容される。
【００３１】
チルトカバー２４をねじ２５の螺合によってトップカバー２３に取り付けた状態では、上側本体ハウジング２０の上面には、載皿３を支持する載皿支持部２６が形成される。載皿支持部２６の四隅には、載皿３の下面に設けられた脚部(図示せず)を支持する脚支持部２７が形成されている。載皿支持部２６の中央には、本体ハウジング２内に設けられたロードセルユニットの一部が突出されるロードセル孔２８が形成されている。これにより、載皿３に載せられた商品の重量をロードセルユニットに伝達することができる。
【００３２】
トップカバー２３の前面側には、表示操作装置５が取り付けられる取り付け部３０が形成されている。本実施の形態では、本体ハウジング２の前面向かって左側の端部からラベル発行口４までの水平方向の寸法が、取り付け部３０の「所定の寸法」とされている。チルトカバー２４は、この取り付け部３０の上側に取り付けられている。
【００３３】
図６は、チルトカバー２４を示す斜視図である。チルトカバー２４は、取り付け部３０を上側から覆う液滴れ防止カバー３１と、取り付け部３０の側方から立ち上げられるような形状となる防塵カバー３２とを備えている。チルトカバー２４を設けることにより、表示操作装置５の水平方向の寸法の上限が、図４中Ｗで示される寸法に規制される。チルトカバー２４、表示操作装置５を本体ハウジング２に取り付けた状態では、表示操作装置５の上方および側方から取り付け機構３０が覆われる。
【００３４】
加えて、特に図示しないが、秤装置１は、秤装置１内の各部を駆動制御する制御部を備えている。これによって、プリンタ、ＬＣＤ７、タッチパネル８、ラベル発行機等の各部を駆動制御することが可能になる。
【００３５】
このような構成において、秤装置１は、載皿３に載置された商品の重量に応じて図示しないロードセルユニットから出力される出力値に基づいて、制御部において載皿３に載置された商品の重量データを算出し、算出した重量データをＬＣＤ７と客側表示装置とに表示する。
【００３６】
また、本実施の形態の秤装置１は、表示操作装置５が丁番９を介して本体ハウジング２に取り付けられているため、例えば、オペレーターの身長等に合わせて、傾斜角を調整することができる。
【００３７】
このとき、チルトカバー２４が備える液滴れ防止カバー３１と防塵カバー３２とによって取り付け機構３０が上方および側方から覆われるため、肉や惣菜等の汁が取り付け機構３０に滴れてきたり、可動部分に埃等の異物が取り付け機構３０に堆積したりすることを防止することができる。これによって、丁番９等の取り付け機構３０を構成する部材の腐食や、可動部分に埃等の異物が挟まることによる動作不良等の不具合の発生を防止することができる。
【００３８】
ところで、近年のＬＣＤ７では、表示する情報量が多くなる、表示された情報が見易い等の種々の利点から、表示面積の大型化が進んでいる。
【００３９】
図１０で示したような従来の秤装置１０４では、液滴れ防止カバー１０６と防塵カバー１０７とが筐体１００に一体的に設けられているため、表示面積の大型化に伴って大型化した表示操作装置を取り付けることが困難であった。例えば、秤装置１０４が出荷前であれば、大型の表示操作装置に合わせた筐体１００に交換する等の工場での対応が可能であるが、既に市場に出回っている秤装置１０４であっては大型化した表示操作装置を取り付けることはできない。
【００４０】
本実施の形態の秤装置１の上側本体ハウジング２０は、液滴れ防止カバー３１と防塵カバー３２とを備えるチルトカバー２４が、トップカバー２３とは別体で構成されているため、以下の手順によりチルトカバー２４を取り外すことができる。
【００４１】
まず、本体ハウジング２から載皿３を取り外して、ねじ２５を露出させる。これによって、チルトカバー２４を取り外すことができる。チルトカバー２４を取り外すことで、元の表示操作装置５のサイズに依存することなく、表示面積を大型化させた元の表示操作装置５より大きい表示操作装置５’を取り付けることができる。
【００４２】
なお、表示操作装置５’は、表示操作装置５と同様の構成であるため、表示操作装置５’についての説明を省略する。
【００４３】
ここで、秤装置１は、上述したように、肉や惣菜等の重量を計り売りする用途で使用されることを想定している。このため、元の表示操作装置５より大きい表示操作装置５’を取り付けるためにチルトカバー２４を取り外したままであると、肉や惣菜等の汁が取り付け機構に滴れてきたり、可動部分に埃等の異物が取り付け機構に堆積したりする。このため、丁番９の腐食や、可動部分に埃等の異物が挟まることによる動作不良等の不具合が発生する。
【００４４】
本実施の形態の秤装置１の上側本体ハウジング２０は、液滴れ防止カバー３１と防塵カバー３２とを備えるチルトカバー２４が、トップカバー２３とは別体で構成されているため、図７に示す第２のカバーとしての取替チルトカバー２４’に交換することができる。
【００４５】
ここで、図７は、取替チルトカバー２４’を示す斜視図である。取替チルトカバー２４’は、図６に示すチルトカバー２４と比較して、表示操作装置５の取り付け機構の側方から取り付け機構３０を覆う防塵カバー３２を備えておらず、取り付け部３０を上側から覆う液滴れ防止カバー３１のみを備えている。取替チルトカバー２４’は、チルトカバー２４と同様にねじ２５によってトップカバー２３に取り付けられる。
【００４６】
取替チルトカバー２４’を取り付けることにより、表示操作装置５’の水平方向の寸法が取り付け部３０の水平方向の寸法に依存しない。このため、市場に出回っている秤装置１であっても、図８に示すように、秤装置１の出荷時に取り付けられていたＬＣＤ７よりも大型のＬＣＤ７を備えることにより元の表示操作装置５より大きい表示操作装置５’を取り付けて使用することができる。
【００４７】
次に、チルトカバー２４および取替チルトカバー２４’の製造方法について図９を参照して説明する。チルトカバー２４は、接離自在に設けられて複数個のパーツからなるカバー成形用金型５０内に、溶融した樹脂を流し込むことによって成形されている。カバー成形用金型５０の一部は、図９(ａ)に示すように、カバー成形用金型５０の型締め／型開き方向に直交する方向にスライドする入れ子５１によって形成されている。カバー成形用金型５０は、入れ子５１を組み入れた状態で、カバー成形用金型５０の各パーツを保持する図示しない成形機によって型締めされることにより、内側にチルトカバー２４と同一形状のキャビティ５２が形成される。
【００４８】
樹脂を用いた射出成形に関しては公知の技術であるため説明を省略するが、チルトカバー２４の成形に際しては、カバー成形用金型５０を型締めすることによって形成されるキャビティ５２内に溶融した樹脂を射出し、この樹脂が十分に冷却された時点でカバー成形用金型５０を型開きして、樹脂成形品を取り出すことで、チルトカバー２４を成形することができる。
【００４９】
ところで、図５および図６からも判るように、チルトカバー２４と取替チルトカバー２４’とは、防塵カバー３２の有無のみが異なっている。
【００５０】
このため、図９(ａ)に示す入れ子５１を図９(ｂ)に示す入れ子５３に交換し、入れ子５３を組み入れてカバー成形用金型５０の内側に形成されるキャビティ５２の防塵カバー３２を塞いだ状態で、カバー成形用金型５０の各パーツを保持する図示しない成形機によって型締めする。これにより、内側に取替チルトカバー２４’と同一形状のキャビティ５４が形成される。単一のカバー成形用金型５０を用いて、チルトカバー２４と取替チルトカバー２４’とを成形することができる。
【００５１】
【発明の効果】
請求項１記載の発明の秤装置によれば、水平方向に所定の寸法を有する取り付け部を側面に備える筐体と、前記筐体の上面に設けられた載皿と、情報を表示する表示部と各種操作を行うための操作部とを一面に有する扁平形状の表示操作装置と、前記表示操作装置を前記筐体の前記取り付け部に取り外し可能に取り付ける取り付け機構と、前記取り付け機構によって取り付けられる前記表示操作装置の水平方向の寸法が前記取り付け部の寸法と略同一である場合に取り付け可能である第１のカバーまたは前記取り付け機構によって取り付けられる前記表示操作装置の水平方向の寸法が前記取り付け部の寸法より大きい場合に取り付け可能である第２のカバーを選択的に前記筐体に取り付けるカバー取り付け機構と、を具備して、前記カバー取り付け機構によって前記第１のカバーが取り付けられている場合にはこの第１のカバーによって前記表示操作装置の上方と側方とから前記取り付け機構を覆い、前記カバー取り付け機構によって前記第２のカバーが取り付けられている場合にはこの第２のカバーによって前記表示操作装置の上方から前記取り付け機構を覆うようにして、取り付け機構によって取り付けられる表示操作装置の水平方向の寸法が取り付け部の寸法と略同一である場合にカバー取り付け機構によって第１のカバーを取り付けて第１のカバーによって表示操作装置の上方と側方とから取り付け機構を覆うことで載皿から滴れてきた肉汁や惣菜等の汁が取り付け機構にかかったり、表示操作装置の側方から埃等が侵入して取り付け機構に堆積したりすることを防止し、取り付け機構によって取り付けられる表示操作装置の水平方向の寸法が取り付け部の寸法より大きい場合にカバー取り付け機構によって第２のカバーが取り付けて第２のカバーによって表示操作装置の上方から取り付け機構を覆うとともに、取り付け部から突出した表示操作装置によって外方から取り付け機構に向かう埃等の進行経路を一部遮断することで、載皿から滴れてきた肉汁や惣菜等の汁が取り付け機構にかかることを防止するとともに、外部から侵入する埃等が取り付け機構に堆積することを防止することができる。これによって、始めに取り付けられている表示操作装置の大きさに依存することなく任意のサイズの表示操作装置に交換することができるとともに、交換後の表示操作装置のサイズによって取り付け機構の性能が低下することがない。
【００５２】
請求項２記載の発明の秤装置の組み立て方法によれば、上面に載皿を有し水平方向に所定の寸法を有する取り付け部を側面に備える筐体に、情報を表示する表示部と各種操作を行うための操作部とを一面に有する扁平形状の表示操作装置を取り付け機構を介して取り付けて秤装置を組み立てる秤装置の組み立て方法において、前記表示操作装置の水平方向の寸法が前記取り付け部の寸法と略同一である場合には前記表示操作装置の上方と側方とから前記取り付け機構を覆う第１のカバーを前記筐体に取り付け、前記表示操作装置の水平方向の寸法が前記取り付け部の寸法より大きい場合には前記表示操作装置の上方から前記取り付け機構を覆う第２のカバーを取り付けるようにして、取り付け機構によって筐体に取り付けられる表示操作装置の水平方向の寸法が取り付け部の寸法と略同一である場合に第１のカバーを取り付けて、第１のカバーによって表示操作装置の上方と側方とから取り付け機構を覆うことで載皿から滴れてきた肉汁や惣菜等の汁が取り付け機構にかかったり、表示操作装置の側方から埃等が侵入して取り付け機構に堆積したりすることを防止し、取り付け機構によって筐体に取り付けられる表示操作装置の水平方向の寸法が取り付け部の寸法より大きい場合に第２のカバーを取り付けて、第２のカバーによって表示操作装置の上方から取り付け機構を覆うとともに取り付け部から突出した表示操作装置によって外方から取り付け機構に向かう埃等の進行経路を一部遮断することで、載皿から滴れてきた肉汁や惣菜等の汁が取り付け機構にかかることを防止するとともに、外部から侵入する埃等が取り付け機構に堆積することを防止することができる。これによって、交換後の表示操作装置のサイズによって取り付け機構の性能を低下させずに、始めに取り付けられている表示操作装置の大きさに依存することなく任意のサイズの表示操作装置に交換することができる。
【図面の簡単な説明】
【図１】本発明の一実施の形態の秤装置を示す斜視図である。
【図２】表示操作装置を示す背面図である。
【図３】秤装置を上方から見た斜視図である。
【図４】上側本体ハウジングを示す斜視図である。
【図５】その縦断側面図である。
【図６】チルトカバーを示す斜視図である。
【図７】取替チルトカバーを示す斜視図である。
【図８】表示操作装置を交換した秤装置を示す斜視図である。
【図９】  (ａ)はチルトカバーの成形について概略的に示す説明図であり、(ｂ)は取替チルトカバーの成形について概略的に示す説明図である。
【図１０】従来の秤装置を示す斜視図である。
【図１１】従来の秤装置の上側本体ハウジングを示す斜視図である。
【符号の説明】
１          秤装置
２          筐体
３          載皿
５          表示操作装置
７          表示部
８          操作部
９          取り付け機構
２４          第１のカバー
２４’        第２のカバー
【図１】
0003717110.tif 000002
【図２】
0003717110.tif 000003
【図３】
0003717110.tif 000004
【図４】
0003717110.tif 000005
【図５】
0003717110.tif 000006
【図６】
0003717110.tif 000007
【図７】
0003717110.tif 000008
【図８】
0003717110.tif 000009
【図９】
0003717110.tif 000010
【図１０】
0003717110.tif 000011
【図１１】
0003717110.tif 000012